(57)【要約】【課題】ノック体後端の摩擦体を用いて安定した摩擦操作が可能となる熱変色性筆記具を提供する。【解決手段】筆記体３の内部に熱変色性インキを収容し、筆記体３の前端にペン先３１を設ける。筆記体３を軸筒２内に前後方向に移動可能に収容する。軸筒２の後端部にノック体６を設ける。ノック体６を前方に押圧することによりペン先３１を軸筒２の前端孔２１から突出状態にし、再度、ノック体６を前方に押圧することによりペン先突出状態を解除する出没機構を備える。ノック体６の後端部外面に、熱変色性インキの筆跡を摩擦しその際に生じる摩擦熱で該筆跡を熱変色可能な摩擦体８を設ける。摩擦体８に係合部８１を設け、軸筒２に被係合部２２を設ける。摩擦体８を用いた摩擦操作の際、係合部８１と被係合部２２とを係合させ、軸筒２に対する摩擦体８の前後方向の移動を阻止する。【選択図】  図１
2011037087.tif 000002
【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、前記軸筒の後端部にノック体を設け、前記ノック体を前方に押圧することによりペン先を軸筒の前端孔から突出状態にし、再度、前記ノック体を前方に押圧することにより前記ペン先突出状態を解除しペン先を軸筒の前端孔より軸筒内に没入状態にする出没機構を備え、前記ノック体の後端部外面に、前記熱変色性インキの筆跡を摩擦しその際に生じる摩擦熱で前記熱変色性インキの筆跡を熱変色可能な摩擦体を設け、前記摩擦体に係合部を設けるとともに前記軸筒に前記摩擦体の係合部と係合可能な被係合部を設け、前記摩擦体を用いた摩擦操作の際、前記係合部と前記被係合部とを係合させ、軸筒に対する摩擦体の前後方向の移動を阻止してなることを特徴とする熱変色性筆記具。
【請求項２】
ペン先突出状態において、前記摩擦体の係合部と前記軸筒の被係合部とを係合させ、軸筒に対する摩擦体の前後方向の移動を阻止してなる請求項１記載の熱変色性筆記具。
【請求項３】
摩擦体を軸筒に対して回転操作することにより、前記摩擦体の係合部と前記軸筒の被係合部とを係合させてなる請求項１または２記載の熱変色性筆記具。
【発明の詳細な説明】
【技術分野】
【０００１】
本発明は、熱変色性筆記具に関する。
【背景技術】
【０００２】
特許文献１には、軸筒内に筆記体を前後方向に移動可能に収容し、軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の外面に、前記熱変色性インキの筆跡を摩擦しその際に生じる摩擦熱で該筆跡を熱変色可能な摩擦部を設けた熱変色性筆記具が開示されている。
【０００３】
前記特許文献１は、軸筒後端の操作部（本願のノック体に相当）を前方に押圧するタイプにおいて操作部に摩擦部を設けた場合、該摩擦部を用いて摩擦操作すると、被筆記面によって操作部が前方に移動し、安定した摩擦操作を行うことができないおそれがある。特に、ペン先突出操作及びペン先没入操作のいずれもが操作部を前方に押圧操作するタイプの出没機構（いわゆるダブルノック式）を採用し且つ操作部に摩擦部を設けた場合、ペン先突出状態において操作体が前後方向にがたつき、安定した摩擦操作を行うことができないおそれがある。
【先行技術文献】
【特許文献】
【０００４】
【特許文献１】国際公開第２００８／１０５２２７号パンフレット
【発明の概要】
【発明が解決しようとする課題】
【０００５】
本発明は、前記従来の問題点を解決するものであって、ノック体後端の摩擦体を用いて安定した摩擦操作が可能となる熱変色性筆記具を提供しようとするものである。尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００６】
［１］本願の第１の発明は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端部にノック体６を設け、前記ノック体６を前方に押圧することによりペン先３１を軸筒２の前端孔２１から突出状態にし、再度、前記ノック体６を前方に押圧することにより前記ペン先突出状態を解除しペン先３１を軸筒２の前端孔２１より軸筒２内に没入状態にする出没機構を備え、前記ノック体６の後端部外面に、前記熱変色性インキの筆跡を摩擦しその際に生じる摩擦熱で前記熱変色性インキの筆跡を熱変色可能な摩擦体８を設け、前記摩擦体８に係合部８１を設けるとともに前記軸筒２に前記摩擦体８の係合部８１と係合可能な被係合部２２を設け、前記摩擦体８を用いた摩擦操作の際、前記係合部８１と前記被係合部２２とを係合させ、軸筒２に対する摩擦体８の前後方向の移動を阻止してなることを要件とする。
【０００７】
前記第１の発明の熱変色性筆記具１は、摩擦体８に係合部８１を設けるとともに軸筒２に摩擦体８の係合部８１と係合可能な被係合部２２を設け、摩擦体８を用いた摩擦操作の際、係合部８１と被係合部２２とを係合させ、軸筒２に対する摩擦体８の前後方向の移動を阻止してなることにより、ノック体６後端部外面の摩擦体８を用いて安定した摩擦操作が可能となる
【０００８】
［２］本願の第２の発明は、前記第１の発明の熱変色性筆記具１において、ペン先突出状態において、前記摩擦体８の係合部８１と前記軸筒２の被係合部２２とを係合させ、軸筒２に対する摩擦体８の前後方向の移動を阻止してなることを要件とする。
【０００９】
前記第２の発明の熱変色性筆記具１は、ペン先突出状態においてノック体６の後端部外面の摩擦体８を用いて安定した摩擦操作が可能となる。
【００１０】
［３］本願の第３の発明は、前記第１または第２の発明の熱変色性筆記具１において、摩擦体８を軸筒２に対して回転操作することにより、前記摩擦体８の係合部８１と前記軸筒２の被係合部２２とを係合させてなることを要件とする。
【００１１】
前記第３の発明の熱変色性筆記具１は、係合部８１と被係合部２２との、係合及び係合解除が容易となる。
【００１２】
・摩擦体
前記第１乃至第３の発明において摩擦体８は、弾性材料（軟質材料）から構成されることが好ましい。前記摩擦体８を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体８を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。尚、本発明の摩擦体８は、少なくとも後端部外面が弾性材料からなる構成であればよい。例えば、摩擦体８の後端部外面を弾性材料から構成し且つ摩擦体８の係合部８１を備えた前部を非弾性材料（硬質材料）から構成することもできる。
【００１３】
・熱変色性インキ
第１乃至第３の発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１４】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００１５】
本発明では、図５に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図５において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１６】
本発明では、前記熱変色性インキの摩擦部の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦体による摩擦熱で容易に変色することができる。
【発明の効果】
【００１７】
本発明は、ノック体後端の摩擦体を用いて安定した摩擦操作が可能となる。
【図面の簡単な説明】
【００１８】
【図１】本発明熱変色性筆記具の実施の形態のペン先没入状態を示す縦断面図である。
【図２】図１の熱変色性筆記具のペン先突出状態を示す縦断面図である。
【図３】図１の熱変色性筆記具のペン先突出状態の要部側面図である。
【図４】図１の熱変色性筆記具の平面図である。
【図５】熱変色性インキの変色挙動を示す説明図である。
【発明を実施するための形態】
【００１９】
本発明の実施の形態を図１乃至図４に示す。
本実施の形態の熱変色性筆記具１は、軸筒２と、該軸筒２内に収容される筆記体３と、該筆記体３のペン先３１を軸筒２の前端孔２１より出没自在にさせる出没機構とを備える。前記軸筒２は、円筒状の前軸２ａと、該前軸の後端に連結される円筒状の後軸２ｂとからなる。
【００２０】
前記筆記体３は、ペン先３１と、該ペン先３１が前端開口部に圧入固着されたインキ収容管３２と、該インキ収容管３２内に充填される熱変色性インキと、該熱変色性インキの後端に充填され且つ該熱変色性インキの消費に伴い前進する追従体（例えば高粘度流体）とからなる。
【００２１】
前記ペン先３１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓を取り付けてもよい。
【００２２】
前記出没機構は、回転カム機構を用いたノック式出没機構であり、軸筒２内面（後軸２ｂ内面）に形成されたカム部４と係合し且つ筆記体３の後端と当接する回転部材５と、該回転部材５と係合し且つ軸筒２後端（後軸２ｂ後端）より突出するノック体６と、軸筒２内に収容され且つ筆記体３を後方に付勢する弾発体７（例えば圧縮コイルスプリング）とからなる。本実施の形態の出没機構は、ペン先突出操作及びペン先没入操作のいずれもがノック体６を前方に押圧する操作のダブルノック式である。
【００２３】
前記カム部４は、前方に突出する鋸歯状の複数のカム歯と、該カム歯間に形成され、回転部材５が係合するカム溝とを備える。回転部材５は、その外面に長手方向に延びる３本の突条を備え、該突条が、カム部４のカム溝と係合される。ノック体６は、その前端部に、カム部４のカム溝内を摺動するガイド突条と、回転部材５の突条の後端と係合するカム歯とを備える。
【００２４】
前記摩擦体８は、弾性材料（例えば、シリコーン樹脂、ＳＢＳ樹脂、ＳＥＢＳ樹脂等）により形成される部材である。図１及び図２に示すように、前記摩擦体８は、前方に開口する取付孔８３を備えた有底円筒体であり、その後端部の側壁外面に径方向外方に突出する凸部８２が形成されるとともに、該凸部８２よりも前方の側壁外面に径方向外方に突出する係合部８１が形成される。前記摩擦体８の取付孔８３内面とノック体６の後部外面とが回転可能に嵌合される。
【００２５】
前記軸筒２の後端部側壁には、Ｌ字状の溝が形成される。前記Ｌ字状の溝は、軸方向に延びるガイド溝２３と、該ガイド溝２３に連通し且つ周方向に延びる溝よりなる被係合部２２とからなる。前記Ｌ字状の溝に前記係合部８１が沿って移動する。
【００２６】
ペン先没入状態では、係合部８１がガイド溝２３の後端部と係合する（図１参照）。前記ペン先没入状態から、摩擦体８を前方に押圧することにより、係合部８１がガイド溝２３に沿って前方に移動し、ペン先突出状態となる（図２参照）。その後、摩擦体８を軸筒２に対して回転させることにより、係合部８１が被係合部２２に係合し、摩擦体８の前後方向の移動（即ち摩擦体８の前方移動及び摩擦体８の後方移動）が阻止される（図３参照）。前記摩擦体８の後端部外面の凸部８２は、摩擦体８を回転操作する際の摘み部となる。
【００２７】
本実施の形態の熱変色性筆記具１は、摩擦体８に係合部８１を設けるとともに軸筒２に摩擦体８の係合部８１と係合可能な被係合部２２を設け、摩擦体８を用いた摩擦操作の際、係合部８１と被係合部２２とを係合させ、軸筒２に対する摩擦体８の前後方向の移動を阻止してなることにより、ノック体６後端部外面の摩擦体８を用いて安定した摩擦操作が可能となる。
【００２８】
本実施の形態の熱変色性筆記具１は、ペン先突出状態において、前記摩擦体８の係合部８１と前記軸筒２の被係合部２２とを係合させ、軸筒２に対する摩擦体８の前後方向の移動を阻止してなることにより、ペン先突出状態においてノック体６の後端部外面の摩擦体８を用いて安定した摩擦操作が可能となる。
【００２９】
本実施の形態の熱変色性筆記具１は、摩擦体８を軸筒２に対して回転操作することにより、前記摩擦体８の係合部８１と前記軸筒２の被係合部２２とを係合させてなることにより、係合部８１と被係合部２２との、係合及び係合解除が容易となる。
【符号の説明】
【００３０】
１  熱変色性筆記具
２  軸筒
２１  前端孔
２２  被係合部
２３  ガイド溝
２ａ  前軸
２ｂ  後軸
３  筆記体
３１  ペン先
３２  インキ収容管
４  カム部
５  回転部材
６  ノック体
７  弾発体
８  摩擦体
８１  係合部
８２  凸部
８３  取付孔
【図１】
2011037087.tif 000003
【図２】
2011037087.tif 000004
【図３】
2011037087.tif 000005
【図４】
2011037087.tif 000006
【図５】
2011037087.tif 000007